(57)【要約】【課題】本発明は、鏡を通しての視界の広さと使い勝手との両立が図られたコンパクト容器を提供する。【解決手段】本発明は、内容物が収容される収容面1fを有し当該収容面1fの奥行き寸法LYと幅寸法LXとが異なる容器本体1と、収容面1fに覆い被さる合せ面2fを有し当該合せ面2fに鏡Mが設けられた蓋体2とを備え、蓋体2がヒンジ部3を介してピンP1の周りを反転可能に連結されることで、当該蓋体2を反転させて開いたとき鏡Mを通した視認が可能なコンパクトである。容器本体1は、奥行き寸法LYが幅寸法LXよりも長い矩形の形状に形作られ、ヒンジ部3は、奥行き方向の一方に偏った収容面1f上の位置に、当該収容面1f上にピンP2によって回転可能に軸支されている。【選択図】図３
2010233699.tif 000002
【特許請求の範囲】
【請求項１】
内容物が収容される収容面を有し当該収容面の奥行き寸法と幅寸法とが異なる容器本体と、この容器本体の収容面に覆い被さる合せ面を有し当該合せ面に鏡が設けられた蓋体とを備え、蓋体がヒンジ部を介して反転可能に連結されることで、当該蓋体を反転させて開いたとき鏡を通した視認が可能なコンパクト容器であって、
容器本体は、奥行き寸法が幅寸法よりも長い形状に形作られ、
ヒンジ部は、奥行き方向の一方に偏った収容面上の位置に、当該収容面上に回転可能に軸支されていることを特徴とするコンパクト容器。
【請求項２】
請求項１において、容器本体に、蓋体を開いた状態で、ヒンジ部の周りに所定の角度だけ回転させたとき、当該蓋体に接触するストッパが設けられていることを特徴とするコンパクト容器。
【請求項３】
請求項２において、ストッパは、収容面に配置される収容部材であることを特徴とするコンパクト容器。
【請求項４】
請求項１又は２において、蓋体の隅部のうち、ヒンジ部側隅部の少なくとも一方を面取り加工してなることを特徴とするコンパクト容器。
【請求項５】
請求項１乃至４のいずれか１項において、ヒンジ部は、蓋体に形成された凹部に配置される本体を有し当該本体に凹部を形作る蓋体の部位が回転可能に軸支されるものであることを特徴とするコンパクト容器。
【発明の詳細な説明】
【技術分野】
【０００１】
本発明は、蓋体がヒンジ部を介して反転可能に連結されることで、当該蓋体を開いたとき鏡を通した視認が可能なコンパクト容器に関するものである。
【背景技術】
【０００２】
コンパクト容器は、主として、ファンデーションやアイシャドウ等を用いたメイクの際に使用される。このため、従来のコンパクト容器としては、幅寸法が奥行き寸法よりも長くなるように構成することで、鏡を通しての視界を広く確保できるようにしたものが一般的である（例えば、特許文献１参照）。
【先行技術文献】
【特許文献】
【０００３】
【特許文献１】特開２００４−４９３６２号公報
【発明の概要】
【発明が解決しようとする課題】
【０００４】
しかしながら、上述のような従来のコンパクト容器は、幅寸法が長くなる分、横に細長くて持ち難いため、使い勝手に改善の余地がある。これに対し、奥行き寸法が幅寸法よりも長手になるように構成すれば、持ち難さの問題を解消できるが、鏡を通しての視界の広さが損なわれてしまうという問題がある。
【０００５】
本発明の目的とするところは、鏡を通しての横方向での視界の広さと使い勝手との両立が図られたコンパクト容器を提供することにある。
【課題を解決するための手段】
【０００６】
本発明である、コンパクト容器は、内容物が収容される収容面を有し当該収容面の奥行き寸法と幅寸法とが異なる容器本体と、この容器本体の収容面に覆い被さる合せ面を有し当該合せ面に鏡が設けられた蓋体とを備え、蓋体がヒンジ部を介して反転可能に連結されることで、当該蓋体を開いたとき鏡を通した視認が可能なコンパクト容器であって、
容器本体は、奥行き寸法が幅寸法よりも長い形状に形作られ、
ヒンジ部は、奥行き方向の一方に偏った収容面上の位置に、当該収容面上に回転可能に軸支されていることを特徴とするものである。
【０００７】
また、本発明によれば、容器本体に、蓋体を開いた状態で、ヒンジ部の周りに所定の角度だけ回転させたとき、当該蓋体に接触するストッパを設けることができる。ストッパによって規制される角度としては、使用者の要求等に応じて適宜、設定することが可能であるが、奥行き方向（長手方向）に対して左右９０度とすることが好ましい。
【０００８】
ストッパとしては、例えば、容器本体の収容面に対して一体に設けたリブや、収容面に配置される内容物の収納皿、又は、当該収納皿と共に前記収容面に配置される受皿などの、収容部材が挙げられる。
【０００９】
また、ストッパを設けた場合には、蓋体の隅部のうち、ヒンジ部側の隅部の少なくとも一方に、面取り加工を行うことができる。
【００１０】
また、ヒンジ部は、蓋体に形成された凹部に配置される本体を有し当該本体に凹部を形作る蓋体の部位が回転可能に軸支されるものとすることができる。
【発明の効果】
【００１１】
本発明では、容器本体の奥行き寸法が幅寸法よりも長くなる分、縦に細長く持ち易い。このため、横に細長い従来のコンパクト容器に比べて、使い勝手がよい。
【００１２】
また、本発明では、蓋体を反転させて開いた状態でヒンジ部ごと回転させることができるため、蓋体を開いた状態での鏡を通しての視界は、容器本体から奥行き方向に反転させて開いただけの場合に比べて、横方向に広く確保される。
【００１３】
従って、本発明によれば、鏡を通しての、横方向の視界の広さと使い勝手との両立が図られたコンパクト容器を提供することができる。特に、本発明に従うコンパクト容器を化粧用のコンパクト容器に適用すれば、アイシャドウを塗る等の際に、両目を同時に写すことが可能になる。
【００１４】
また、容器本体に、蓋体を開いた状態で、ヒンジ部の周りに所定の角度だけ回転させたとき、当該蓋体に接触するストッパを設ければ、蓋体の角度を所望の角度に容易に位置決めすることができる。これにより、鏡を通しての、横方向の視界の広さと使い勝手との両立を容易に実現することができる。
【００１５】
特に、上記角度が９０度となるようにストッパを設ければ、蓋体を回転させたときに蓋体が真横になるので、鏡を通しての、横方向の視界を最も広く確保することができる。これにより、鏡を通しての、横方向の視界の広さと使い勝手との両立を最も効率的に図ることができる。
【００１６】
上記ストッパとして、前記収容面に配置される収容部材を採用すれば、ストッパとして既存の部材を用いることができる。これにより、コストを抑えつつ、鏡を通しての、横方向の視界の広さと使い勝手との両立を容易に実現することができる。
【００１７】
特に、ストッパを設けた場合、蓋体の隅部のうち、ヒンジ部側隅部の少なくとも一方に面取り加工を施せば、面取り加工の施されたヒンジ部側隅部の方向に蓋体を回転させたとき、ヒンジ部側隅部とストッパとの干渉（接触）が生じ難い。
【００１８】
即ち、ストッパを設けた場合、蓋体の隅部のうち、ヒンジ部側隅部の少なくとも一方を面取り加工すれば、かかる干渉を回避すべく、蓋体とストッパとの間に設けられた間隔を短くを抑えることができる。これにより、容器としての小型化を図りつつ、鏡を通しての、横方向の視界の広さと使い勝手との両立を図ることができる。
【００１９】
また、ヒンジ部として、蓋体に形成された凹部に配置される本体を有し当該本体に凹部を形作る蓋体の部位が回転可能に軸支されるものを採用すれば、ヒンジ部は蓋体の開閉状態に関わらず、蓋体の凹部内に常時配置された状態にあるため、容器としての薄型化（小型化）を図りつつ、鏡を通しての、横方向の視界の広さと使い勝手との両立を図ることができる。
【図面の簡単な説明】
【００２０】
【図１】(a),(b)はそれぞれ、本発明の一形態である化粧用コンパクト容器が蓋体を閉じた状態を模式的に示す上面図及び斜視図である。
【図２】(a),(b)はそれぞれ、同コンパクト容器が蓋体を開いた状態を模式的に示す上面図及び、その右側面図である。
【図３】同コンパクト容器の蓋体を開いて右９０度を回転した状態を模式的に示す上面図である。
【発明を実施するための形態】
【００２１】
以下、図面を参照して、本発明の一形態である、化粧用コンパクト容器を詳細に説明する。
【００２２】
本発明の一形態である、化粧用コンパクト容器（以下、「コンパクト」）は、図１に示すように、幅寸法ＬXが奥行き寸法ＬYよりも長い矩形の形状に形作られている。
【００２３】
１は、容器本体である。容器本体１も、図１(a)に示すように、奥行き寸法ＬYが幅寸法ＬXよりも長い矩形の形状に形作られている。また、容器本体１は、図２に示すように、化粧料を収容する収容面１ｆを有し、収容面１ｆには、トレイＴが嵌め込まれている。トレイＴは、化粧料が充填される化粧充填部Ｃ1と、化粧筆等を収納するための塗布具収納部Ｃ2とに区画されている。なお、トレイＴは、化粧充填部Ｃ1及び塗布具収納部Ｃ2はそれぞれ、収納皿として別体で構成し、これら収納皿の受皿とすることもできる。また、トレイＴ等は、容器本体１と一体に成形することもできる。
【００２４】
２は、図２に示すように、収容面１ｆに覆い被さる合せ面２ｆを有し当該合せ面２ｆに鏡Ｍが設けられた蓋体である。
【００２５】
３は、図２(b)の実線に示すように、容器本体１に対して蓋体２を反転可能に連結するヒンジ部である。ヒンジ部３は、図１に示すように、蓋体２に形成された凹部２ａに配置される本体３ａを有し、この本体３ａに凹部２ａを形作る蓋体２の部位２ｂがピンＰ1を介して回転可能に軸支されている。これにより、蓋体２は、ヒンジ部３を介して反転可能に連結される。
【００２６】
従って、蓋体２を、図２(b)の矢印ｄ1に示すように回転させれば、図１(b)に示すように容器本体１に覆い被されるように合さって閉じられる。容器本体１には、ヒンジ部３と対向する位置に、外向きに付勢されたプッシュピース４が設けられており、蓋体２を閉じたときに、合せ面２ｆに形成された図２に示す爪部２ｃが引っ掛かることで、蓋体２の開放が防止される。
【００２７】
これに対し、蓋体２を開くときは、プッシュピース４をその付勢力に抗して容器本体１内に押し込んで爪部２ｃの引っ掛かりを解放する。これにより、蓋体２を、図２(b)の矢印ｄ2に示すように回転させれば、図２に示すように蓋体２を反転させた状態に開くことができる。
【００２８】
また、ヒンジ部３は、図１等に示すように、収容面１ｆ上にあって、奥行き方向（長手方向）ＯYに沿ったいずれか一方の方向に偏った位置に配置されていると共に、図２(a)に示すように、ピンＰ2を介して収容面１ｆ上に回転可能に軸支されている。これにより、蓋体２は、同図の矢印ｄ3又はｄ4に示す方向に回転するように、ヒンジ部３を介して収容面１ｆ上を回転可能に連結される。
【００２９】
加えて、本形態では、図２(b)に示すように、容器本体１の収容面１ｆに対してトレイＴを高さ（厚み）寸法ΔＬZだけ突出させることで、蓋体２を反転させて開いた状態で、ヒンジ部３の周りに所定の角度ＡSだけ回転させたとき、図３に示すように、当該蓋体２の側面に接触して回転を防止するストッパとして構成する。
【００３０】
本形態では、トレイＴを矩形とすることで、そのヒンジ部３側の縁部（以下、「トレイ縁部」）ＴE(3)をストッパＳとして機能させる。これにより、角度ＡSは、図３に示すように、長手方向軸線ＯYに対して９０度（短手方向軸線ＯXと平行）に設定される。
【００３１】
従って、蓋体２を、図２(a)に示すように反転させて開いた後、例えば、図３に示すように矢印ｄ3の方向に回転させれば、蓋体２は、同図に示すように、鏡Ｍを使用者側に向けた状態のまま、右側に９０度倒れて横方向に延在する。この場合、例えば、利き手が右手である場合、左手で容器本体１を把持しつつ、鏡Ｍを見ながら右手でメイクを行うことができる。
【００３２】
また、蓋体２を、図２(a)に示すように反転させて開いた後、矢印ｄ4の方向に回転させれば、蓋体２は、鏡Ｍを使用者側に向けた状態のまま、左側に９０度倒れて横方向に延在する。この場合、例えば、利き手が左手である場合、右手で容器本体１を把持しつつ、鏡Ｍを見ながら左手でメイクを行うことができる。
【００３３】
更に、本形態では、図１(a)に示すように、蓋体２の隅部Ｅにそれぞれ、曲率半径ｒの面取り加工が施されている。これにより、ピンＰ2を基点にして蓋体２を回転させる場合、面取り加工が施されないときに比べて、ヒンジ部側の隅部ＥがストッパＳと干渉（接触）し難くなる。
【００３４】
本形態では、容器本体１の奥行き寸法ＬYが幅寸法ＬXよりも長くなる分、縦に細長く持ち易い。このため、横に細長い従来のコンパクト容器に比べて、使い勝手がよい。
【００３５】
また、本形態では、蓋体２を開いてヒンジ部３ごと、蓋体２を矢印ｄ3又は矢印ｄ4に回転させることができるため、蓋体２を開いた状態での鏡Ｍを通しての視界は、図２(a)に示すように、容器本体１から奥行き方向ＯYに反転させて開いただけの場合に比べて、横方向に広く確保される。
【００３６】
従って、本形態によれば、鏡Ｍを通しての、横方向の視界の広さと使い勝手との両立が図られたコンパクトを提供することができる。特に、本形態の如く、化粧用コンパクトに適用すれば、アイシャドウを塗る等の際に、両目を同時に写すことが可能になる。
【００３７】
また、本形態の如く、収容面１ｆに、蓋体２を反転させて開いた状態で、ヒンジ部３の周りに所定の角度ＡSだけ回転させたとき、当該蓋体２に接触するストッパＳを設ければ、蓋体２の角度Ａを所望の角度ＡSに容易に位置決めすることができる。これにより、鏡Ｍを通しての、横方向の視界の広さと使い勝手との両立を容易に実現することができる。
【００３８】
特に、本形態の如く、所定の角度ＡSが９０度となるようにストッパＳを設ければ、蓋体２を回転させたときに蓋体２が図３に示すように真横になるので、鏡Ｍを通しての、横方向の視界を最も広く確保することができる。これにより、鏡Ｍを通しての、横方向の視界の広さと使い勝手との両立を最も効率的に図ることができる。
【００３９】
また、本形態の如く、ストッパＳとして、収容面１ｆに配置されるトレイＴなどの、収容部材を採用すれば、ストッパＳとして既存の部材を用いることができる。これにより、コストを抑えつつ、鏡を通しての、横方向の視界の広さと使い勝手との両立を容易に実現することができる。なお、ストッパＳは、収容面１ｆから隆起させたリブ等を用いることで、容器本体１と一体に設けることも可能である。
【００４０】
特に、ストッパＳを設けた場合、本形態の如く、蓋体２の隅部Ｅのうち、ヒンジ部側隅部Ｅの少なくとも一方に面取り加工を施せば、面取り加工が施されたヒンジ部側隅部Ｅの方向に蓋体２を回転させたとき、ヒンジ部側隅部ＥとストッパＳとの干渉（接触）が生じ難い。
【００４１】
即ち、ストッパＳを設けた場合、蓋体２の隅部Ｅのうち、ヒンジ部側隅部Ｅの少なくとも一方を面取り加工すれば、かかる干渉を回避すべく、蓋体２とストッパＳとの間に設けられた間隔を短くを抑えることができる。これにより、コンパクトとしての小型化を図りつつ、鏡Ｍを通しての、横方向の視界の広さと使い勝手との両立を図ることができる。
【００４２】
また、本形態の如く、ヒンジ部３として、蓋体２に形成された凹部２ａに配置される本体３ａを有し当該本体３ａに凹部２ａを形作る蓋体２の部位２ｂが回転可能に軸支されるものを採用すれば、図１(b)及び図２(b)に示すように、ヒンジ部３は蓋体２の開閉状態に関わらず、蓋体２の凹部２内に常時配置された状態にあるため、コンパクトとしての薄型化（小型化）を図りつつ、鏡Ｍを通しての、横方向の視界の広さと使い勝手との両立を図ることができる。
【００４３】
上述したところは、本発明の好適な形態をしたものであるが、特許請求の範囲において、種々の変更を加えることができる。例えば、ピンＰ1又はピンＰ2はそれぞれ、蓋体２又は容器本体１に固定されることで、ヒンジ部３を回転させる構成は勿論、ヒンジ部３に固定されることで、蓋体２又は容器本体１を回転させる構成とすることも可能である。また、蓋体２は、容器本体１に対し、爪部２ｃ及びプッシュピース４の構成に替えて、互いの合せ面に設けた凹凸による嵌合で係止される構成とすることもできる。また、ヒンジ部３は、蓋体２を反転させて開く構成として、ピンＰ1に替えて、薄肉の連結片を採用することも可能である。
【産業上の利用可能性】
【００４４】
本発明は、化粧用のコンパクト容器に限定されるものではなく、例えば、目元に塗布する軟膏等を内容物とする医薬品用のコンパクト容器等としても適用できる。
【符号の説明】
【００４５】
１    容器本体
１ｆ  収容面
２    蓋体
２ａ  凹部
２ｂ  蓋体部位
２ｃ  爪部
２ｆ  合せ面
３    ヒンジ部
３ａ  本体
４    プッシュピース
ＬX   幅寸法
ＬY   奥行き寸法
Ｍ    鏡
Ｐ1   ピン
Ｐ2   ピン
Ｓ    ストッパ
Ｔ    トレイ
【図１】
2010233699.tif 000003
【図２】
2010233699.tif 000004
【図３】
2010233699.tif 000005